(57)【特許請求の範囲】
【請求項１】
圧縮機（２５）とガス冷却器（２６）と減圧機構（２７）と蒸発器（２８）とを備え、冷媒に超臨界で使用する超臨界冷媒を用いた冷媒回路であって、高圧側にレシーバ（４３）を配置すると共に、このレシーバ（４３）内を通過する冷媒流量を調整する調整弁（４４）を設け、予め設定された目標レシーバ温度に基づいて上記調整弁（４４）の開度を設定し、運転中に、上記蒸発器（２８）の過熱度と外気温度とのすくなくとも一方を検出し、この温度に基づいて、上記目標レシーバ温度を運転状態に応じた目標レシーバ温度に修正して、この修正した目標レシーバ温度に上記レシーバ（４３）の温度を近づけるように、上記調整弁（４４）の開度を調整することを特徴とする冷媒回路。
【請求項２】
高圧側において、その上流側と下流側とをバイパスするバイパス回路（４２）を設けると共に、このバイパス回路（４２）に上記レシーバ（４３）を介設し、さらに、このレシーバ（４３）の出口側に上記調整弁（４４）を設けたことを特徴とする請求項１の冷媒回路。
【請求項３】
圧縮機（２５）とガス冷却器（２６）と減圧機構（２７）と蒸発器（２８）とを備え、冷媒に超臨界で使用する超臨界冷媒を用いた冷媒回路であって、高圧側において、その上流側と下流側とをバイパスするバイパス回路（４２）を設けると共に、このバイパス回路（４２）にレシーバ（４３）を介設し、さらに、このレシーバ（４３）の出口側に、レシーバ（４３）内を通過する冷媒流量を調整する調整弁（４４）を設け、レシーバ（４３）の温度を目標レシーバ温度に近づけるように、上記調整弁（４４）の開度を調整すべく構成し、外気温度及び過熱度のすくなくとも一方に基づいて上記目標レシーバ温度を変化させ、冷媒循環量を制御することを特徴とする冷媒回路。
【請求項４】
圧縮機（２５）とガス冷却器（２６）と減圧機構（２７）と蒸発器（２８）とを備え、冷媒に超臨界で使用する超臨界冷媒を用いた冷媒回路であって、高圧側において、その上流側と下流側とをバイパスするバイパス回路（４２）を設けると共に、このバイパス回路（４２）に上記レシーバ（４３）を介設し、さらに、このレシーバ（４３）の出口側に、レシーバ（４３）内を通過する冷媒流量を調整する調整弁（４４）を設け、外気温度及び過熱度のすくなくとも一方に基づいて、上記調整弁（４４）の開度を調整して、冷媒循環量を制御することを特徴とする冷媒回路。
【請求項５】
レシーバ（４３）内の高圧冷媒は、低圧冷媒と熱交換を行うことを特徴とする請求項１〜請求項４のいずれかの冷媒回路。
【発明の詳細な説明】
【０００１】
【発明の属する技術分野】
この発明は、例えばヒートポンプ式給湯装置の熱源ユニットに使用するのに好適な超臨界冷媒を用いた冷媒回路に関するものである。
【０００２】
【従来の技術】
ヒートポンプ式給湯装置は、一般には図６に示すように、貯湯タンク７０を有するタンクユニット７１と、冷媒回路７２を有する熱源ユニット７３とを備える。また、冷媒回路７２は、圧縮機７４と水熱交換器７５と膨張弁７７と蒸発器７８とを順に接続して構成される。そして、タンクユニット７１は、上記貯湯タンク７０と循環路７９とを備え、この循環路７９には、水循環用ポンプ８０と熱交換路８１とが介設されている。この場合、熱交換路８１は水熱交換器７５にて構成される。
【０００３】
上記装置においては、圧縮機７４を駆動させると共に、ポンプ８０を駆動（作動）させると、貯湯タンク７０の底部に設けた取水口から貯溜水（温湯）が循環路７９に流出し、これが熱交換路８１を流通する。そのときこの温湯は水熱交換器７５によって加熱され（沸上げられ）、湯入口から貯湯タンク７０の上部に返流される。これによって、貯湯タンク７０に高温の温湯を貯めるものである。
【０００４】
また、従来においては、上記冷媒回路の冷媒として、ジクロロジフルオロメタン（Ｒ−１２）やクロロジフルオロメタン（Ｒ−２２）のような冷媒が使用されてきたが、オゾン層の破壊、環境汚染等の問題から、１，１，１，２−テトラフルオロエタン（Ｒ−１３４ａ）のような代替冷媒が使用されるようになっている。しかしながらこのＲ−１３４ａにおいても、依然として地球温暖化能が高いなどの問題があることから、近年では、このような問題のない自然系冷媒を使用することが推奨されつつある。この自然系冷媒として炭酸ガス等の超臨界冷媒が有用であることは、公知である。
【０００５】
【発明が解決しようとする課題】
ところが上記装置においては、外気温度が変化することによって、凝縮側及び蒸発側の負荷変動が生じ、この負荷変動により安定する冷媒サイクルも変動する。そのため、季節ごとに冷媒循環量が相違し、最適な冷媒量での運転が困難となっていた。すなわち、循環量が少なすぎる場合には過度の過熱運転となり、循環量が多すぎる場合には湿り運転となったりして、圧縮機の信頼性の低下を招いていた。
【０００６】
この発明は、上記従来の欠点を解決するためになされたものであって、その目的は、循環冷媒量を確実に調整することができ、そのため過熱運転や湿り運転とならずに適切な冷媒量で運転できる冷媒回路を提供することにある。
【０００７】
【課題を解決するための手段】
そこで請求項１の冷媒回路は、圧縮機２５とガス冷却器２６と減圧機構２７と蒸発器２８とを備え、冷媒に超臨界で使用する超臨界冷媒を用いた冷媒回路であって、高圧側にレシーバ４３を配置すると共に、このレシーバ４３内を通過する冷媒流量を調整する調整弁４４を設け、予め設定された目標レシーバ温度に基づいて上記調整弁４４の開度を設定し、運転中に、上記蒸発器２８の過熱度と外気温度とのすくなくも一方を検出し、この温度に基づいて、上記目標レシーバ温度を運転状態に応じた目標レシーバ温度に修正して、この修正した目標レシーバ温度に上記レシーバ４３の温度を近づけるように、上記調整弁４４の開度を調整することを特徴としている。
【０００８】
請求項１の冷媒回路では、予め設定された目標レシーバ温度に基づいて上記調整弁４４の開度を設定して運転を行い、運転中に、上記蒸発器２８の過熱度と外気温度とのすくなくともいずれか一方を検出する。そして、この温度に基づいて、この目標レシーバ温度が適切であれば、その目標レシーバ温度に基づく調整弁４４の開度でもって運転を行う。また、この目標レシーバ温度が適切でなければ、この目標レシーバ温度をこの運転状態に応じた目標レシーバ温度に修正することができ、調整弁４４をこの修正した目標レシーバ温度に応じた開度に調整することなる。すなわち、レシーバ４３の温度を修正した目標レシーバ温度に確実に近づけることができ、これによって、レシーバ４３内に貯まる冷媒量を、例えば各季節に応じた量をすることができ、各季節に応じた冷媒量でもってこの冷媒回路内を循環させることができる。このため、過度の過熱運転や湿り運転となることを防止することができる。
【０００９】
請求項２の冷媒回路は、高圧側において、その上流側と下流側とをバイパスするバイパス回路４２を設けると共に、このバイパス回路４２に上記レシーバ４３を介設し、さらに、このレシーバ４３の出口側に上記調整弁４４を設けたことを特徴としている。
【００１０】
上記請求項２の冷媒回路では、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００１１】
請求項３の冷媒回路は、圧縮機２５とガス冷却器２６と減圧機構２７と蒸発器２８とを備え、冷媒に超臨界で使用する超臨界冷媒を用いた冷媒回路であって、高圧側において、その上流側と下流側とをバイパスするバイパス回路４２を設けると共に、このバイパス回路４２にレシーバ４３を介設し、さらに、このレシーバ４３の出口側に、レシーバ４３内を通過する冷媒流量を調整する調整弁４４を設け、レシーバ４３の温度を目標レシーバ温度に近づけるように、上記調整弁４４の開度を調整すべく構成し、外気温度及び過熱度のすくなくとも一方に基づいて上記目標レシーバ温度を変化させ、冷媒循環量を制御することを特徴としている。
【００１２】
上記請求項３の冷媒回路では、レシーバ４３内の冷媒の温度を調整することによって、冷媒の密度を変化させて、レシーバ４３内に貯まる冷媒量を調整することができる。すなわち、レシーバ４３の温度を、例えば季節に応じて設定された目標レシーバ温度に近づけるような制御を行うことによって、レシーバ４３内に貯まる冷媒量を各季節に応じた量にすることができ、各季節に応じた冷媒量を循環させることができる。このため、過度の過熱運転や湿り運転となることを防止することができる。また、外気温度及び過熱度のすくなくとも一方に基づいて、上記目標レシーバ温度を変化させることができので、冷媒循環量を確実に所期循環量（例えば、季節毎に応じた循環量）とすることができる。そして、外気温度に基づく場合、制御のための演算の簡略化を図ることができ、また、過熱度に基づく場合、精度よく制御することができ、さらに、外気温度及び過熱度に基づく場合、より高精度の制御を行うことができる。さらに、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００１３】
請求項４の冷媒回路は、圧縮機２５とガス冷却器２６と減圧機構２７と蒸発器２８とを備え、冷媒に超臨界で使用する超臨界冷媒を用いた冷媒回路であって、高圧側において、その上流側と下流側とをバイパスするバイパス回路４２を設けると共に、このバイパス回路４２に上記レシーバ４３を介設し、さらに、このレシーバ４３の出口側に、レシーバ４３内を通過する冷媒流量を調整する調整弁４４を設け、外気温度及び過熱度のすくなくとも一方に基づいて、上記調整弁４４の開度を調整して、冷媒循環量を制御することを特徴としている。
【００１４】
上記請求項４の冷媒回路では、外気温度及び過熱度のすくなくとも一方に基づいて、調整弁４４の開度を調整するものであり、この開度を調整することによって、レシーバ４３内を流れる流量を調整することができ、冷媒循環量を確実に所期循環量とすることができる。このため、過度の過熱運転や湿り運転となることを防止することができる。そして、外気温度に基づく場合、制御のための演算の簡略化を図ることができ、また、過熱度に基づく場合、精度よく制御することができ、さらに、外気温度及び過熱度に基づく場合、より高精度の制御を行うことができる。また、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。また、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００１９】
請求項５の冷媒回路は、レシーバ４３内の高圧冷媒は、低圧冷媒と熱交換を行うことを特徴としている。
【００２０】
上記請求項５の冷媒回路では、レシーバ４３内の高圧冷媒を低圧冷媒にて冷却することができる。すなわち、別途他の冷却手段を使用することなく、この回路内の低圧冷媒を使用して、レシーバ４３の温度を目標レシーバ温度に簡単に近づけることができる。
【００２１】
【発明の実施の形態】
次に、この発明の冷媒回路の具体的な実施の形態について、図面を参照しつつ詳細に説明する。図１はこの冷媒回路を使用したヒートポンプ式給湯装置の簡略図を示し、このヒートポンプ式給湯装置は、タンクユニット１と熱源ユニット２を備え、タンクユニット１の水（温湯）を熱源ユニット２にて加熱するものである。
【００２２】
タンクユニット１は貯湯タンク３を備え、この貯湯タンク３に貯湯された温湯が図示省略の浴槽等に供給される。すなわち、貯湯タンク３には、その底壁に給水口５が設けられると共に、その上壁に出湯口６が設けられている。そして、給水口５から貯湯タンク３に市水が供給され、出湯口６から高温の温湯が出湯される。また、貯湯タンク３には、その底壁に取水口１０が開設されると共に、側壁（周壁）の上部に湯入口１１が開設され、取水口１０と湯入口１１とが循環路１２にて連結されている。そして、この循環路１２に水循環用ポンプ１３と熱交換路１４とが介設されている。なお、給水口５には給水用流路８が接続されている。
【００２３】
次に、熱源ユニット２はこの実施の形態に係る冷媒回路Ｒを備え、この冷媒回路Ｒは、圧縮機２５と、熱交換路１４を構成する水熱交換器（ガス冷却器）２６と、電動膨張弁（減圧機構）２７と、空気熱交換器（蒸発器）２８とを順に接続して構成される。すなわち、圧縮機２５の吐出管２９をガス冷却器２６に接続し、ガス冷却器２６と電動膨張弁２７とを冷媒通路３０にて接続し、電動膨張弁２７と蒸発器２８とを冷媒通路３１にて接続し、蒸発器２８と圧縮機２５とをアキュームレータ３２が介設された冷媒通路３３にて接続している。そして、冷媒としては、例えば、超臨界で使用する炭酸ガス（ＣＯ２）を用いる。なお、水熱交換器２６としてのガス冷却器は、圧縮機２５にて圧縮された高温・高圧の超臨界冷媒を冷却する機能を有するものである。また、上記冷媒通路２９には、圧力保護スイッチとしてのＨＰＳ４０と、圧力センサ４１とが設けられている。
【００２４】
また、この冷媒回路Ｒには、ガス冷却器２６から流出した高圧冷媒を冷却する液ガス熱交換器３４を備える。この場合、この液ガス熱交換器３４は、例えば、二重管構造であって、ガス冷却器２６からの冷媒が通過する第1通路３５と、蒸発器２８からの冷媒が通過する第２通路３６とを備える。すなわち、第1通路３５が、ガス冷却器２６と電動膨張弁２７とを連結する冷媒通路３０の一部を構成し、第２通路３６が、蒸発器２８と圧縮機２５とを連結する冷媒通路３３の一部を構成する。このため、第1通路３５を通過する高圧高温の冷媒と第２通路３６を通過する低圧低温の冷媒との間で熱交換され、ガス冷却器２６からの冷媒に過冷却を付与し、また、アキュームレータ３２に入る冷媒を加熱して、圧縮機２５の湿り圧縮を防止することができる。
【００２５】
ところで、この冷媒回路Ｒは、圧縮機２５とガス冷却器２６とを接続する冷媒通路（吐出管）２９と、電動膨張弁２７と蒸発器２８とを接続する冷媒通路３１とをバイパス回路３８にて接続し、このバイパス回路３８にデフロスト弁３９を設けている。このバイパス回路３８は、圧縮機２５から吐出したホットガスを蒸発器２８に供給して、この蒸発器２８の除霜を行うデフロスト運転を行うためのものである。そのため、この熱源ユニット２には、通常の湯沸運転と、デフロスト運転との切換を行うためのデフロスト制御手段（図示省略）を備える。すなわち、通常の湯沸運転の場合、水熱交換器２６が凝縮器として機能し、熱交換路１４を通過する温湯を加熱するものである。また、デフロスト運転を行う場合、電動膨張弁２７を所定開度とすると共に、デフロスト弁３９を開状態として、ホットガスを蒸発器２８に流し、このホットガスにて蒸発器２８を加熱して、蒸発器２８の霜を除去する。デフロスト制御手段は、例えば、マイクロコンピュータを用いて構成される。
【００２６】
さらに、この冷媒回路Ｒは、高圧側において、分岐してこの分岐部よりも下流側の位置において合流するバイパス回路４２を設けると共に、このバイパス回路４２にレシーバ４３を介設し、さらに、このレシーバ４３の出口側に流量調整用の調整弁４４を設けている。すなわち、バイパス回路４２は、ガス冷却器２６の上流側から分岐してレシーバ４３に接続される第1通路４５と、このレシーバ４３から導出されて第1通路４５の分岐部よりも下流側においてガス冷却器２６に合流する第２通路４６とを備えている。そして、第２通路４６に上記調整弁４４を介設している。
【００２７】
そして、このレシーバ４３内には、図４に示すように、上記冷媒通路３１の一部を構成する通路４７が配設され、バイパス回路４２を介してこのレシーバ４３内に入った高圧冷媒と、この通路４７を流れる低圧冷媒との熱交換を行う。すなわち、通路４７を流れる低圧冷媒にて、このレシーバ４３の温度を後述する目標レシーバ温度に近づける冷却手段Ｓを構成している。この場合、調整弁４４の開度を調整することによって、レシーバ４３内を通過する冷媒流量を調整して、レシーバ４３内の冷媒温度を調整している。これは、流量調整弁４４の開度制御によって、要求された冷媒温度に保持し、レシーバ４３内を適切な冷媒収容量とすることができ、この回路内の冷媒循環量を最適な量とするためである。
【００２８】
ところで、このヒートポンプ式給湯装置の制御部は、図２に示すように、レシーバ温度検出手段５０と、空気熱交換器温度検出手段５１と、吸入管温度検出手段５２と、外気温度検出手段５３と、レシーバ４３の目標レシーバ温度を設定する設定手段５４と、こられの各検出手段５０、５１、５２、５３、５４からのデータ（数値）が入力される制御手段５５とを備える。なお、制御手段５５は例えばマイクロコンピュータを用いて構成することができる。
【００２９】
この場合、図１に示すように、レシーバ温度検出手段５０はレシーバ４３に付設されるサーミスタ５０ａからなり、空気熱交換器温度検出手段５１は蒸発器２８に付設される空気熱交サーミスタ５１ａからなり、吸入管温度検出手段５２は吸入管（冷媒通路）３３に付設される吸入管サーミスタ５２ａからなり、外気温度検出手段５３は外気サーミスタ５３ａからなる。なお、吐出管２９にも吐出管温度を検出する吐出管サーミスタ５６ａが付設されている。
【００３０】
次に、上記冷媒回路Ｒの運転動作（湯沸かし運転）を説明する。圧縮機２５を駆動させると共に、水循環用ポンプ１３を駆動（作動）させる。すると、貯湯タンク３の底部に設けた取水口１０から貯溜水（温湯）が流出し、これが循環路１２の熱交換路１４を流通する。そのときこの温湯はガス冷却器２６である水熱交換器によって加熱され（沸上げられ）、湯入口１１から貯湯タンク３の上部に返流される。そしてこのような動作を継続して行うことによって、貯湯タンク３に温湯が貯湯されることになる。なお、現状の電力料金制度は夜間の電力料金単価が昼間に比べて低く設定されているので、この運転は、低額である深夜時間帯に行い、コストの低減を図るようにするのが好ましい。
【００３１】
ところで、この場合の冷媒回路Ｒの運転は、図３に示すフロチャート図に従って行うものであるが、まず、リモコンの設定を行うと共に、外気温度を検出して、ステップＳ１のように、目標出湯温度を決定（設定）及び目標吐出管温度の決定（設定）を行う。そして、外気温度が相違する各季節によって、必要冷媒循環量が相違するので、この冷媒回路Ｒでは、レシーバ４３の温度を所期の目標レシーバ温度に近づける必要がある。そこで、この運転の際には、ステップＳ２のように、目標レシーバ温度を過去のデータ（予備試験等によるデータ）により決定して、各種の外気温度における調整弁４４の開度を設定する。ここで、目標レシーバ温度とは、各季節等に応じて決定されるものであり、レシーバ４３の温度がこの目標レシーバ温度に近づけば、過度の過熱運転や湿り運転を防止して最適な冷媒量で運転することができる温度である。
【００３２】
そして、ヒートポンプ式給湯装置の定常運転時には、ステップＳ１のように、目標出湯温度制御及び目標吐出管制御運転を行う。つまり、電動膨張弁２７の開度を調整（制御）して、圧縮機２５の吐出管２９の温度を目標温度に合わせる吐出管制御運転を行う。また、運転中に、空気熱交換器温度、吸入管温度、および外気温度が検出され、これらの温度（データ）を制御手段５５に入力する。
【００３３】
この制御手段５５では、空気熱交換器温度と吸入管温度とに基づいて過熱度が演算され、この過熱度と外気温度とに基づいて、上記目標レシーバ温度をこの運転状態に応じた温度に修正する（ステップＳ４の目標レシーバ温度算出）。すなわち、凝縮側及び蒸発側の負荷変動が生じ、ステップＳ２で設定した目標レシーバ温度では、この運転状態の最適な冷媒循環量を得ることができないことがあるため、この冷媒回路Ｒにて形成される冷媒循環サイクルが最適な冷媒循環量となるレシーバ４３の温度を算出するものである。この際、レシーバ温度検出手段５０にて実際のレシーバ４３の温度が検出されており、この検出値と、修正された目標レシーバ温度とを比較する。すなわち、ステップＳ５で、検出温度が目標レシーバ温度（修正後の目標レシーバ温度）であるか否かを判断する。
【００３４】
修正後の目標レシーバ温度であれば、このまま通常の目標出湯温度制御及び目標吐出管制御運転を行う。そして、修正後の目標レシーバ温度でなければ、ステップＳ６へ移行して、ＥＶＢ開度調整（調整弁４４の開度調整）を行って、レシーバ４３内を流れる冷媒流量を調整する。これによって、レシーバ４３が修正後の目標レシーバ温度を近づき、この運転状態（運転状況）に応じた所期冷媒循環量とすることができる。たとえば、夏（外気温度が３２℃くらい）の最適冷媒循環量は、冬（外気温度が−５℃くらい）の最適冷媒循環量よりも多いが、冬においては、この差に相当する冷媒をレシーバ４３に溜めて、少ない冷媒循環量とすることができ、夏においては、このレシーバ４３から上記の冷媒量を流出させて、冬よりも多い冷媒循環量とすることができる。
【００３５】
このように、一年中季節毎の外気温度の変動に関係なく、その時期（状況）に応じた循環量で運転することができ、過熱運転や湿り運転となるの防止することができ、圧縮機２５の信頼度が向上する。しかも、この冷媒回路を使用したヒートポンプ式給湯装置の最大の能力を出すように最適に制御することができる。
【００３６】
ところで、上記実施の形態では、目標レシーバ温度を設定し、検出される過熱度と外気温度とに基づいて実際のレシーバ４３の温度をこの目標レシーバ温度に近づけるものであるが、目標レシーバ温度を算出する場合、過熱度のみに基づくものであっても、外気温度のみに基づくものであってもよい。外気温度に基づく場合、制御のための演算の簡略化を図ることができる。また、過熱度に基づく場合、精度よく制御することができる。さらに、外気温度及び過熱度に基づく場合、より高精度の制御を行うことができる。
【００３７】
また、図３のフローチャート図において、ステップＳ４、Ｓ５を省略したものであってもよい。すなわち、空気熱交換器温度と吸入管温度とに基づいて過熱度を演算し、この過熱度と外気温度とに基づいて、調整弁４４の開度を決定してもよい。これによっても、レシーバ４３内を通過する冷媒流量を調整して、冷媒循環量をこの運転状態に応じた所期循環量とすることができる。この場合、目標レシーバ温度の算出及び実際のレシーバ温度との比較等を行う必要がなく、制御の簡略化を図ることができる。また、ステップＳ４、Ｓ５を省略する場合でも、外気温度及び過熱度のすくなくとも一方に基づいて、調整弁４４の開度を決定することができる。
【００３８】
上記レシーバ４３は、高圧冷媒を通過させると共に、この高圧冷媒と低圧冷媒との熱交換を行うようにすればよいので、バイパス回路４２の第1通路４５を、吐出管２９、ガス冷却器２６、又はガス冷却器２６と減圧機構２７との間の冷媒通路３０から分岐させると共に、第２通路４６を、この第1通路４５の分岐部よりも下流側の吐出管２９、ガス冷却器２６、又は冷媒通路３０に合流させるようにしてもよい。要は、減圧機構（電動膨張弁）２７の前位において、第1管４５と第２管４６との間に高低圧差が生じるようにすればよい。
【００３９】
また、レシーバ４３内を通過する高圧冷媒と、熱交換を行う低圧冷媒としては、蒸発器２８と圧縮機２５との間の冷媒通路３３の低圧冷媒であってもよい。さらに、この熱交換を行うために、図５に示すように、冷媒通路３１や冷媒通路３３の低圧側配管をレシーバ４３の外面に沿わせたものであってもよい。なお、図例以外に、冷媒通路３１等をレシーバ４３の外周面に巻設するようにしてもよい。
【００４０】
以上にこの発明の具体的な実施の形態について説明したが、この発明は上記形態に限定されるものではなく、この発明の範囲内で種々変更して実施することができる。例えば、ヒートポンプ式給湯装置以外の空調装置やショーケース等の各種の冷凍装置の冷媒回路に使用することが可能であり、冷媒としては、炭酸ガス以外に、エチレンやエタン、酸化窒素等の超臨界で使用する冷媒であってもよい。また、レシーバ４３内の高圧冷媒を冷却する冷却手段Ｓとして、低圧冷媒を使用することなく、ファン装置や他の冷却装置を使用してもよく、さらには、蒸発器２８の一部を利用するものであってもよい。さらに、調整弁４４として、電動弁に限るものではなく、電磁弁や他の開閉弁を使用することができる。また、レシーバ４３と熱交換器（液ガス熱交換器）３５との配置順序を図例と逆順序となるようにしてもよい。
【００４１】
【発明の効果】
請求項１の冷媒回路によれば、レシーバの温度を目標レシーバ温度に確実に近づけることができて、レシーバ内に貯まる冷媒量を各季節に応じた量をすることができ、冷媒循環を適量とすることが可能となる。これにより、過度の過熱運転や湿り運転を確実に防止することができ、圧縮機の信頼性を安定して確保することができる。しかも、この冷媒回路が使用されるヒートポンプ式給湯装置等のシステムが最大の能力を出す制御をより最適に行うことができる。
【００４２】
請求項２の冷媒回路によれば、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００４３】
請求項３の冷媒回路によれば、レシーバの温度を目標レシーバ温度に近づけることによって、レシーバ内に貯まる冷媒量を、例えば各季節に応じた量をすることができ、冷媒循環を適量とすることが可能となる。これにより、一年中最適な冷媒循環量での運転が可能となって、過度の過熱運転や湿り運転を防止でき、圧縮機の信頼性を確保することができる。しかも、この冷媒回路が使用されるヒートポンプ式給湯装置等のシステムが最大の能力を出すように最適に制御することができる。また、レシーバの温度を目標レシーバ温度に近づけることにより、冷媒循環量を確実に所期循環量（季節毎に応じた循環量）とすることができ、安定した運転を行うことができる。そして、外気温度に基づく場合、簡単に制御することができ、また、過熱度に基づく場合、精度よく制御することができ、さらに、外気温度及び過熱度に基づく場合、より高精度の制御を行うことができる。さらに、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００４４】
請求項４の冷媒回路によれば、冷媒循環量を確実に所期循環量とすることができる。これにより、過度の過熱運転や湿り運転を防止でき、圧縮機の信頼性を確保することができる。しかも、この冷媒回路が使用されるヒートポンプ式給湯装置等のシステムが最大の能力を出す制御が可能である。そして、外気温度に基づく場合、制御のための演算の簡略化を図ることができ、また、過熱度に基づく場合、精度よく制御することができ、さらに、外気温度及び過熱度に基づく場合、より高精度の制御を行うことができる。しかも、レシーバ４３の出口側に調整弁４４が設けられるので、この調整弁４４の開度を調整することによって、バイパス回路４２に介設されるレシーバ４３内に貯溜される冷媒量を確実に制御することができる。これにより、冷媒循環量を安定して所期循環量とすることができる。
【００４７】
請求項５の冷媒回路によれば、別途他の冷却手段を使用することなく、この回路内の低圧冷媒を使用して、レシーバの温度を目標レシーバ温度に簡単に近づけることができる。これにより、各季節に応じた冷媒循環量を確実に得ることができ、過度の過熱運転や湿り運転を安定して防止することができる。しかも、装置として簡略化を図ることができる。
【図面の簡単な説明】
【図１】この発明の冷媒回路の実施形態を示す簡略図である。
【図２】上記冷媒回路の制御部の簡略ブロック図である。
【図３】上記冷媒回路の運転制御を示すフローチャート図である。
【図４】上記冷媒回路のレシーバを示す簡略図である。
【図５】上記冷媒回路の他のレシーバを示す簡略図である。
【図６】従来の冷媒回路の簡略図である。
【符号の説明】
２５  圧縮機
２６  凝縮器
２７  減圧機構
２８  蒸発器
４２  バイパス回路
４３  レシーバ
４４  調整弁
【図１】
0003956674.tif 000002
【図２】
0003956674.tif 000003
【図３】
0003956674.tif 000004
【図４】
0003956674.tif 000005
【図５】
0003956674.tif 000006
【図６】
0003956674.tif 000007